(57)【特許請求の範囲】
【請求項１】
前面と、
前記前面の一部分の領域に重なるように、前記前面の方に押されると共に前記前面の後方へ屈曲するように設けられる複数の屈曲可能な光操作エレメントと、
前記少なくとも一つの光操作エレメントの内部反射を減少させると共に可視性を増加させるため、前記前面及び前記光操作エレメントの少なくとも一つの屈折率に合致する屈折率を供給するように内部に設けられる光学流体と、
前記屈曲可能な光操作エレメントの一つにそれぞれが結合される複数のロッドと、
前記前面の方への前記ロッドのそれぞれの動きを制御するように設けられ、それにより、前記屈曲可能な光操作エレメントを屈曲させ、前記前面と背景との間における前記一つの前記屈曲可能な光操作エレメントの露光量を決定するロッド移動システムと、
を有するピクセルを備えることを特徴とするディスプレイ装置。
【請求項２】
前記複数の屈曲可能な光操作エレメントのそれぞれは、ガイド部材の間に形成される複数の溝の対応する一つの溝内を移動すると共に前記前面の後方へ屈曲するように設けられ、前記前面の後方に積み重なった屈曲可能な光操作エレメントを形成する請求項１に記載のディスプレイ装置。
【請求項３】
前記屈曲可能な光操作エレメントのそれぞれが前記前面の領域に積み重なる範囲は前記ピクセルの色を決定する請求項２に記載のディスプレイ装置。
【請求項４】
前記屈曲可能な光操作エレメントの少なくとも一つは前記光操作エレメントの色を決定した色素を備えている請求項１〜３のいずれかの請求項に記載のディスプレイ装置。
【請求項５】
前記ピクセルは、複数の前記ピクセルがお互いに隣りに配置された時、複数の前記ピクセルが前記ディスプレイ装置の前面を実質的に完全に覆うような形状を有している請求項１〜４のいずれかの請求項に記載のディスプレイ装置。
【請求項６】
前記ピクセルは、複数の前記ピクセルがお互いに隣りに配置された時、複数の前記ピクセルがお互いに重なるような形状を有している請求項１〜４のいずれかの請求項に記載のディスプレイ装置。
【請求項７】
前記前面の後方に背景タイルをさらに備えている請求項１〜６のいずれかの請求項に記載のディスプレイ装置。
【請求項８】
前記屈曲可能な光操作エレメントは、前記前面の全領域に重なることができるように設けられている請求項１〜７のいずれかの請求項に記載のディスプレイ装置。
【請求項９】
前記屈曲可能な光操作エレメントの少なくとも一つは色彩フィルターを備えている請求項１〜８のいずれかの請求項に記載のディスプレイ装置。
【請求項１０】
前記ロッド移動システムは位置測定装置及び停止機構を備えている請求項１〜９のいずれかの請求項に記載のディスプレイ装置。
【請求項１１】
前記ロッドの少なくとも一つは前記少なくとも一つのロッドの近くに生じる磁界の作用により移動するように設けられている請求項１〜１０のいずれかの請求項に記載のディスプレイ装置。
【請求項１２】
それぞれのロッドのために予め決められた位置に前記複数のロッドを移動させるために前記複数のロッドに作動液の同一圧力を掛けるように構成される油圧ポンプをさらに備えている請求項１〜１１のいずれかの請求項に記載のディスプレイ装置。
【請求項１３】
前記ロッドの少なくとも一つは前記ディスプレイ装置内の前記作動液の圧力変動の作用により移動するように設けられている請求項１２に記載のディスプレイ装置。
【請求項１４】
前記少なくとも一つのロッドは所定位置で前記ロッドの移動を停止するように構成されたストッパーと係合する請求項１３に記載のディスプレイ装置。
【請求項１５】
前記作動液は前記ピクセル内に設けられる光学流体を備え、前記光学流体は、前記ピクセルの前記前面及び前記光操作エレメントの少なくとも一つの屈折率に合致する屈折率を供給するように設けられる請求項１２〜１４のいずれかの請求項に記載のディスプレイ装置。
【請求項１６】
前記屈曲可能な光操作エレメントのそれぞれは、
色彩フィルターと、
タイルと、
偏光器と、
光反射器と、
上記のうちの少なくとも２つの組み合わせと、
にから成る群から選択される光操作エレメントを備えている請求項１〜１５のいずれかの請求項に記載のディスプレイ装置。
【請求項１７】
前記光操作エレメントのそれぞれは、
赤色色素と、
緑色色素と、
青色色素と、
黄色色素と、
マゼンダ色素と、
シアン色素と、
から成る群から選択される色素を含む色素フィルターを備えている請求項１〜１５のいずれかの請求項に記載のディスプレイ装置。
【請求項１８】
前記ディスプレイ装置は複数のピクセルを有するケースを備えている請求項１〜１７のいずれかの請求項に記載のディスプレイ装置。
【請求項１９】
前記ケースは、少なくとも一つの凸部と少なくとも一つの対応する凹部を備え、複数の前記ケースがお互いに隣りに積み重ねられた時、前記凸部が前記凹部に突き出て、前記ケースが前記ディスプレイ装置の前面の実質的に全範囲を覆うように設けられている請求項１８に記載のディスプレイ装置。
【請求項２０】
前記ディスプレイ装置は複数のケースを有するボードを備えている請求項１８又は請求項１９に記載のディスプレイ装置。
【請求項２１】
前面と、
前記前面の一部分の領域に重なるように、前記前面の方に押されると共に前記前面の後方へ屈曲するように設けられる複数の屈曲可能な光操作エレメントと、
前記少なくとも一つの光操作エレメントの内部反射を減少させると共に可視性を増加させるため、前記前面及び前記光操作エレメントの少なくとも一つの屈折率に合致する屈折率を供給するように内部に設けられる光学流体と、
前記屈曲可能な光操作エレメントの一つにそれぞれが結合される複数のロッドと、
前記前面の方への前記ロッドのそれぞれの動きを制御するように設けられ、それにより、前記屈曲可能な光操作エレメントを屈曲させ、前記前面と背景との間における前記一つの前記屈曲可能な光操作エレメントの露光量を決定するロッド移動システムと、
を有するピクセルを供給することと、
ディスプレイ環境に前記ピクセルを配置することと、
前記ピクセルの色を決定するため、前記前面の領域に前記光操作エレメントのそれぞれを重ねる範囲に前記前面の後方に前記複数の屈曲可能な光操作エレメントを屈曲することと、
を備えることを特徴とするカラーディスプレイを表示する方法。
【請求項２２】
それぞれのロッドのために予め決められた位置に前記複数のロッドを移動させるために前記複数のロッドに作動液の同一圧力を掛けるように構成される油圧ポンプを使用することをさらに備えている請求項２１に記載の方法。
【請求項２３】
前記作動液は前記ピクセル内に設けられる光学流体を備え、前記光学流体は、前記少なくとも一つの光操作エレメントの内部反射を減少させると共に可視性を増加させるため、前記ピクセルの前記前面及び前記光操作エレメントの少なくとも一つの屈折率に合致する屈折率を供給するように設けられる請求項２２に記載の方法。
【発明の詳細な説明】
【技術分野】
【０００１】
本発明は、デザイン及び広告市場において、屋外及び又は屋内の壁で使用される色彩表示装置又はタイルに関する。特に、本発明は、広告ボード、動的な壁、モザイク、床及び又は、家庭、美術館、レストラン、バー等のような個人又は公共の環境において表示可能な他の芸術的配列のような屋外及び屋内のボードにピクセルを配置するために使用され、ボードを構成するサイズ及び又はタイルを変更する電子機械的な反射システムに関する。
【背景技術】
【０００２】
インフォメーションボードは、大量の広告の一部として使用可能であり、製品及びサービスに関する販売促進及び又は広告情報又は一般の人々の注意を引くとそれらの会社が信じる一般的な情報を広めることを望むもののように、多数の会社、代理店及び人によって通常使用されている。多くの広告主体は上記した目的を達成する際に露出させるために各種会場を使用する。会社は広告ボード及び他の大型ディスプレイ装置のような広告ボードに広告データを掲載することにより大きな利益を得られることがある。一般に、そのようなインフォメーションボードは、道路脇、ショッピングモール及びショッピングエリア、主要な交通の交差点、及び又は他の環境に沿って配置され、通常、それらの会社が提供する特定の製品及び又はサービスに関連する時、広告材料を公衆に広く表示する。
【発明の概要】
【発明が解決しようとする課題】
【０００３】
広告の場を提供することは人気があり有効であるが、特に、ボードに掲載されるコンテンツが非常に頻繁に変更または修正される時、インフォメーションボードに掲載される広告データを更新する作業は非常に困難なことがある。よって、特定の広告ボードが短期間に多数のベンダーを収容する範囲においてボードの操作及び保守をさらに複雑にしている。さらに、従来のボードはあるタイプの情報だけを表示する点において制限されている。さらに、そのようなボードは通常、保守が困難であり、ボードが美しく表示されることを更新及び保証するため継続的且つ専任のスタッフを必要とする。したがって、現在使用されるボードは、過酷な環境となる方法によって、構成され、保守又は使用されている。実際に、そのようなボードがライフサイクルの終わりになると、ボードが作られる荒い材料はそれらの解体により環境を非常に汚染する。さらに、白い光を発光するような発光ダイオード（ＬＥＤ）を利用するボードは人間の目に好ましくなく、害を及ぼし兼ねない強度を有している。
【０００４】
さらに、上記したのと同様のインフォメーションボードは、経験デザインとして公知となっている部分として、すなわち、製品、プロセス、サービス、イベント、及び環境の実施であるが、必ずしも販売促進のツールとしてではなく、ユーザの経験の品質に焦点を置いた芸術的なエレメント及び文化関連の解決法の一部分としての設定に使用される。そのため、経験デザインの出現する原理は、認知心理学及び知覚心理学、言語学、認知科学、建築及び環境デザイン、触覚学、危険分析、製品設計、演劇、インフォメーションデザイン、情報アーキテクチャ、民族学、ブランド戦略、インタラクションデザイン、サービス設計、読み聞かせ、ヒューリスティックス、テクニカルコミュニケーション及びデザイン思考を含む多数の他の原理から引き出される。インフォメーションボードが上記した設定で使用されるが、そうでない場合、上記した技術的な欠点を被り、それにより、インフォメーションボードの使用を通して伝わる、アイデアの芸術的及び表現的価値を制限する。
【課題を解決するための手段】
【０００５】
本技術の例示的な実施の形態は、広告及び販売促進のコンテンツで使用されるもののような、各種画像及びグラフィカルな描写及び出力を表示するために設けられるディスプレイボードを開示する。より詳細には、ディスプレイボードは、それぞれが複数のピクセルを有する複数のディスプレイ装置又はモジュールを形成するディスプレイモジュールの各ピクセルは積重された光の色彩フィルターから形成され、各フィルターはハイドロメカニカルシステム又はエレクトロメカニカルシステムの使用により操作及び動作可能であり、ディスプレイボードを横切るいろいろな陰を形成する。さらに、ディスプレイ装置の各ピクセルを形成する積重されたフィルターのそれぞれは上記したフィルターのそれぞれを伸縮するように設けられる可動ロッドに結合される。その場合、ディスプレイモジュールを横切るフィルターの動作及び位置はボードに表示されるピクセルのそれぞれの色を決定する。本技術のある実施の形態では、フィルターに結合されるようなロッドの動きは、各モジュール内に配置される光学流体又はオイルのような液体により形成される水力機構により達成される。そのような流体の目的は、色彩装置をその外側から分離するインターフェース間と同様に、色彩装置の屈折エレメント及び又は反射エレメントの間で屈折率を厳密に合わせる適切な屈折率を有する光学反射整合媒体を促進することである。そのような光学流体は、装置内で継続して発生する各種機械的な動きの結果として色彩装置内に発生する熱の影響を与えると共に均一に分配するのと同様に、色彩装置内のオイル動作エレメントに設けられる潤滑及び放熱する作用剤としてさらに作用する。さらに、水力電気機構は、液体を押圧及び又は引くために使用される水力電気ポンプを含み、フィルターの移動ためのロッドに動作を与えるようになっている。
【０００６】
上記したフィルターに結合されると共に該フィルターを動作させるために使用される各ロッドは、例えば、それに配置される溝を介して各ロッドに取り付け可能なストッパー及び位置フィードバック機構により個別に制御可能である。したがって、機械的アームは、新たなディスプレイ操作の間に起こるように、モジュール内で流体が動作している間にそれぞれのフィルターを所望な位置に維持するように設けられる。したがって、開示される水力電気機構は各ロッドの位置を一様に変更可能である。
【０００７】
さらに、上述したように、ディスプレイ装置又はタイルは、動的な壁、モザイク、床、及び又は、家庭、美術館、レストラン、バー等のような私的又は公的な環境で表示可能な他の芸術的配列を形成又はそれらの必須部分を形成する。
【０００８】
本発明の幾つかの実施の形態では、ディスプレイ装置のピクセルは別のパターンで配置してもよく、ピクセルの各列は隣接する列に対して位置を変えるようになっている。さらに、装置のケースは、前記ピクセルのパターンに従って、凸部及び凹部を有する特定の形状を含み、間に空隙を有することなくお互いにケースを適合させる。
【０００９】
本発明の他の特徴は、上記した方法を実行するように配置されるシステムを含んでいる。本発明の実施の形態のこれらのさらなる及び又は他の特徴及び又は利点は、以下の詳細な説明に示され、その詳細な説明から推測可能な、及び又は本発明の実施の形態の実施により学習可能なものである。
【図面の簡単な説明】
【００１０】
【図１】本技術の例示的な実施の形態による色彩表示ボードの斜視図である。
【図２】本技術の例示的な実施の形態による図１の表示ボードを形成する色彩装置の斜視図である。
【図３】本技術の例示的な実施の形態による色彩装置の側面図である。
【図４】本技術の例示的な実施の形態による図２及び３で示される色彩装置の別の側面図である。
【図５】本技術の例示的な実施の形態による色彩装置で使用される色彩フィルターの配列の平面図である。
【図６】本技術の例示的な実施の形態による図５で示される色彩フィルターの配列の側面図である。
【図７】本技術の例示的な実施の形態による図２〜４により示される色彩装置の斜視図である。
【図８】本技術の例示的な実施の形態による色彩システムにより使用されるロッド機構の側面図である。
【図９】本技術の例示的な実施の形態による色彩装置により使用される動作システムの概略図である。
【図１０】本技術の例示的な実施の形態による色彩装置により使用される別の動作システムの概略図である。
【図１１】本技術の例示的な実施の形態による水力システムの斜視図である。
【図１２】本技術の例示的な実施の形態による色彩装置の斜視図である。
【発明を実施するための形態】
【００１１】
図面を詳細に参照すると、本発明の好適な実施の形態の例示のため及び事例の目的のためにだけ詳細が示され、最も有用と思われ、本発明の原理及び概念上の特徴を容易に理解されるものを提供する目的で示される。これに関して、本発明の根本的な理解のために必要な程度以上に詳細に本発明の構造について示すつもりはなく、当業者が本発明の幾つかの形態を実際にどのように具現化可能かが明らかになるように図面と共に説明をする。
【００１２】
本発明の少なくとも一つの形態を詳細に説明する前に、本発明は以下の説明又は図面に示された構成の構造及び配置の詳細にその適用を限定するものではないことを理解すべきである。本発明は各種方法で実施又は実行される他の実施の形態に適用可能である。また、ここで使用される言い回し及び用語は説明の目的のためであり、限定とみなされるべきではない。
【００１３】
本発明の実施の形態は、例えば、広告ボード、広告板、建物の壁、インフォメーションボード等により、各種画像、テキスト及び又はパターンを動的に表示する色彩装置又はタイルを提供してもよい。
【００１４】
図１に戻ると、図１は本技術の実施の形態によるディスプレイボード１０の斜視図である。ディスプレイボード１０は、一般に、大画像を表示するために使用されるような、大型の広告ボードの一部を形成し、通常、会社、店、小売店等により行われる販売促進キャンペーンの一部として使用される。代わりに、ディスプレイボード１０は、一般に、建物の壁の一部を形成し、建物の壁のパターン及び生地を表示及び又は修正可能であり、及び又は建物の壁に広告を表示し、又はインフォメーションボードの一部を形成したりしてもよい。そのため、ディスプレイボード１０は、定期的に更新可能な静止画像、動画、又は画像を示す。さらに、ボード１０により映し出され及び又は表示される画像は、一般に、印刷されたポスターのような、通常の装置により表示されるものと同様に、いろいろな色、色調及び又は強度を有する色付き画像を形成する。したがって、ディスプレイボードは広告ボード及び又は動的な画像等を移すために使用される他の同様の広告板と同じ大きさを取り囲む画像を表示する。ディスプレイボードは、モザイク、壁、床又は画像を表示する能力を有する他の芸術的な配列を形成又はそれらの一部を形成する。
【００１５】
さらに、図２により図示されているように、ディスプレイボード１０は、個々のディスプレイ装置１２により形成され、該各装置１２は、該装置１２のような他のディスプレイ装置に近接して、又は、その上方、又はその下方に配置される。さらに図示されているように、前記ボード１０は、Ｍ列とＮ行により、Ｍ×Ｎの行列を形成し、該行列の各セルはディスプレイ装置１２を備えている。そのため、各ボードはＭ×Ｎのディスプレイ装置１２を有し、別の言い方をすると、各ボードは組み込むボード１０のために選択されるＭ列及びＮ行の量によりディスプレイ装置１２の量を変更可能である。
【００１６】
さらに、それぞれのディスプレイ装置１２はピクセル１４の行列を有し、各ピクセルはボード１０に形成される全体画像を最終的に構成する特定の色を表示するために設けられる。通常、ピクセル１４は、２ｃｍ×２ｃｍ、又は５ｃｍ×５ｃｍのような特定のエリア寸法を有し、或いは、ディスプレイ装置１０は、所望なように及び又は特定のデザイン又は事業の実施に従って、長さ及び幅を変更可能な他の大きい又は小さい寸法を有するピクセルを備えていてもよい。そのため、示された実施の形態では、各ディスプレイ装置１２は、Ｑ×Ｑ（例えば、５×５＝２５、又は、４×５＝２０）の正方行列を形成するＱ列及びＱ行を有し、本技術の他の実施の形態は各ディスプレイ装置１２内に異なるサイズ及び変わるピクセル量を有するディスプレイ装置１２を含んでいてもよい。
【００１７】
複数のディスプレイ装置１２は、該装置１２の間に存在する空間を最小限にするようにディスプレイボード１０に継ぎ目なく適合していることを認識すべきである。その場合、ディスプレイ装置１０は、最大限の表示範囲とディスプレイボード１０のエリアを取り囲む表面エリアの使用を可能にする。さらに、装置１２の適用能力はピクセル間の空白領域又は空間なしで実質的に十分であり、そのため、実質的に空白領域又は空間なしで、ディスプレイボード１０の最大限又は実質的に十分な適用を可能にする。
【００１８】
さらに後述するように、本技術の幾つかの実施の形態では、各ピクセル１４により表示される色は、緑色、赤色、青色に限定されないがそれらの色を含む、いろいろな色素、色を有する色彩フィルターのような、各種光操作エレメントを結合することにより形成され、他の実施の形態では、各ピクセルにより形成される色は黄色、シアン、マゼンダ及び他の色であってもよい。光操作エレメントはさらに、偏光子、反射性及び又は屈折性のフィルター、及び又は１以上の色素を形成するように設けられる他の光学エレメントを含んでいる。さらに後述するように、各ピクセル１４はまた、白色、黒色、灰色及び又は背景の他の陰に限定されないが、それらのような背景をも含んでいてもよい。他の実施の形態では、背景は、他の操作エレメント（例えば、色彩フィルター）の後ろに通常配置されるタイルを含み、ボード１０内の各ピクセル１４のための所望な色素を表示するように背景が各種フィルターに入射する光を反射するように設けられている。当業者であれば、ボード１０に衝突する光は自然の太陽光から生じ、或いは、その代りに、光は、プロジェクター、蛍光灯、他の電灯、又はボード１０の近くに配置される他の光源のような、人工的な光源から発生してもよい。
【００１９】
さらに図示されているように、ディスプレイ装置１２は長方形状を有し、ケース１６により形成されている。この図では、前記装置及びケース１６を長方形状として示しているが、ディスプレイ装置１２及びそのケース１６は、多角形及び又は湾曲した外形及び端部を含むもののような他の形状及びサイズで形成されていてもよい（例えば、図１２参照）。ケース１６は、鉄、アルミニウム、銅、タングステン、又はそれらの組合せのような一般的な金属製材料により形成され、装置１２に比較的軽量でありながら耐久性のあるケースを形成する。代わりに、ケース１６は、各種金属を含むもののような複合材料製であってもよく、或いは、ケースはプラスチック製であってもよい。さらにケース１６は、ディスプレイ装置１２の内部のものをケース１６内にしっかりと保持し固定した状態に保つように全周をシールされている。ケース１６はまた、ディスプレイ装置１２内に光学流体及び又は他のタイプの半透明な潤滑剤のような流体を収容するようになっている。そのような流体は、装置１２内に組み込まれる水力機構の一部となり、ケース１６内に配置される機械部品を動作させ、ボード１０の稼働中に上記したフィルターを適所に移動させる。装置１２内に設けられる１以上の流体はまた光学整合媒体として有用なように設けられ、ピクセル１４の外側部分とピクセルの内側部分の間に屈折率インターフェースを提供する。流体はまた、装置１２の作動機構エレメントの間の摩擦を最小にするための潤滑剤及び放熱媒体として作用し、機械又は装置１２内の他のエレメントの動作又は操作から発生する熱を放出する。
【００２０】
図３は本技術の例示的な実施の形態による水力機械ディスプレイ装置１２の側面図である。図４は本技術の実施の形態による図２及び３に示された色彩装置の別の側面図である。図示されているように、装置１２は複数のロッド３０を含み、それぞれは対応する光操作エレメント３２，３４，３６及び３８に結合され、それぞれのピクセル１４を形成する。光操作エレメント３２〜３８は、フィルター、反射器、偏光子、及び又は各種色又は陰の１以上の色素を生成するため光と相互に作用するように設けられる他の材料を形成してもよい。さらに、例示的な実施の形態では、フィルター３２〜３８は、透明、不透明、色度、及び又は着色の異なる度合いを有する半透明の材料により形成されてもよい。図３及び４によりさらに図示されているように、各フィルター３２〜３８は、ディスプレイモジュール１２の長さに沿って配置される、部材４０と４２の間に形成される溝内に配置される。本技術は各ピクセルのため変化する数の光操作エレメント（例えば、フィルター）を考え、本実施の形態はピクセル毎に４つのフィルターを示し、本技術の他の変形例はピクセル毎にそれ以上又はそれ以下のフィルターを使用してもよい。
【００２１】
さらに、光操作エレメント／フィルター３２〜３８は前面、すなわち、ピクセル１４が配置される面から、フィルターが結合されるロッド３０へ後方に延びる。図示されているように、部材４０と４２により形成される溝の助けにより、フィルター３２〜３８は装置１２の前端パネルの方に屈曲するようになる。したがって、フィルター３２〜３８が装置１２の前パネルの方に移動する時、部材４０と４２は装置１２の側面に沿ったフィルター３２〜３８の動きが直線運動を横切るようになる。
【００２２】
図４によりさらに図示されているように、フィルター３２〜３８は、積み重なった構造の配置を形成し、例えば、フィルター３２が他のフィルターに対して最も前方に位置し、フィルター３８が他のフィルターに対して最も後方に位置する。さらに図示されているように、後方のタイル４３（例えば、白色、黒色、灰色又は他の選択色）がフィルター３２〜３８の後方に配置され、光操作エレメント／フィルター３２〜３８に光を反射するため各種色又は色素を有する反射媒体を提供し、それらが一定量の色をまとめて表示し、所望な色のピクセルを形成する。背景４３及びフィルター３２〜３８のそれぞれは装置１２の面に対して僅かな角度で配置され、（屋根に配置される屋根板と同様に）連続して重なって内側に配置される構造を形成し、入射光を最適に受け取り及び又は反射するように設けられる。したがって、示されている実施の形態では、色彩装置１２のピクセルは装置１２の前面パネルに沿って連続して内側に配置される構造を形成する。そのような構成により、ディスプレイ装置１２の前面パネルを横切るピクセルの最適な量を供給するむしろ有効な利用を保証する。
【００２３】
さらに、各ロッド３０はフィルター３２〜３８によりロッド３０の適切な配置及び調整を確実にするように設けられるプレート４４を介してフィルター３２〜３８に個々に結合される。したがって、ロッド３０はロッド３０に動きを与えるように設けられる水圧の作用により移動するように設けられ、その結果として、フィルター３２〜３８を所望な距離移動させ、それにより、フィルターのそれぞれのために所望に露光させ、各ピクセル１４を形成する。したがって、各ピクセル１４による色の供給は、各フィルター３２〜３８が前面パネル１５と背景４３の間で達成する露光量により決定される。同様に、各フィルターの露光量は、フィルター３２〜３８に結合されるロッド３０のそれぞれに与えられる移動量により決定される。そのため、当業者であれば、そのような所望な拡張がディスプレイ装置１２により提供される表示画像に従って各ピクセルの所望な色を与える事を認識するであろう。
【００２４】
さらに図示されているように、ディスプレイモジュール１２は上記したエレメントが配置される内部の空洞４６を備え、他の機械的な構成に加えて、電気及び又は水力の構成が含まれる。したがって、空洞４６はさらに、ロッド３０をそれらの所望な位置に移動させるために水力機構の一部として使用される光学流体のような液体を含むように設けられている。空洞４６内に含まれる光学流体は、色彩フィルター３２〜３８を他の表面、すなわち、空気、及びディスプレイ装置１２の外側部分、から分離する内側と外側の光学インターフェースの間に光学的な屈折率の整合媒体を供給する。流体はまた、装置１２内に含まれる各種構成の適切な潤滑剤と同様に、ロッド３０の円滑で連続的な運転及び動きを確実にする。空洞４６内の流体はさらに、空洞４６内を形成する温度勾配を消し及び又は均一にするように設けられ、その間、ロッド３０は装置１２の全体運転中と同様に動いている。
【００２５】
さらに、ロッド３０の動きを助けるため、空洞４６は、空洞４６内に含まれる流体を押圧又は引くように設けられるピストンのような各種仕掛けを有している。その場合、ピストン４８は、更新運転等を表示している間に起こるように、ロッド３０を前方又は後方に順番に移動させて流体に動きを与える。
【００２６】
図５は、本技術の実施の形態による、色彩装置１２により使用される色彩フィルターの配列６０の平面図である。その配列６０は、図２〜４を参照して上述した色彩フィルター３２〜３８と同様に、フィルター６２，６４、及び６６の組合せにより形成されている。図示された例示されている実施の形態では、フィルター６２は黒色に着色され、フィルター６４は青色に着色され、フィルター６６は黄色に着色される。着色されたフィルター６２〜６６及び又はそれらの組合せは、上述したように、ボード１０により表示可能な、利用可能な色にすることができることを覚えておくべきである。前記配列６０はさらに、フィルター６２〜６６の下方に配置された白い背景６８を含んでいる。背景６８はフィルター６２〜６６の下方に配置され、背景６８から後方に反射された光がフィルターに伝わり、それにより、それらの重なる組み合せにより所望な色を表示する。
【００２７】
さらに、図６によって図示されているように、本技術の例示的な実施の形態によれば、光操作エレメント／フィルター６２〜６６及び背景６８は、他の上面に、ある角度で、ほぼ平行に積み重ねられ、各フィルター６２〜６６及び背景６８が上述したように配置されるフィルターを超える長さで伸びるようになっている。フィルター６２〜６６及び背景６８のそのような積み重なり及び配列はディスプレイ装置１２全体に亘ってフィルターの配置をより容易にする。背景６８と同様に、各光装置エレメント６２〜６６の積み重なり及び配置は自動的に制御可能であり、すべてのエレメント６２〜６８がピクセル１４を形成する所望な色素を発生させるようになっている。したがって、前記エレメント６２〜６６のそれぞれを配置する距離及び調整は、ディスプレイ装置１２全体に亘るピクセル１４のそれぞれにより表示される色素を最終的に制御するため、各種のコンピュータアルゴリズム及び１つ以上のプロセッサにより実行されるルーチンを介して最適に操作されることができる。これに関して、そのようなソフトウェアはディスプレイ装置１２全体に亘ってピクセル１４の地図の位置及び色素を総括し、風景、物体、人間、又は他の視認可能な実際の又は虚像の又はアニメのエレメントの動的な視認可能な画像の論理的で適切な配列を形成するようになっている。
【００２８】
図７は本技術の実施の形態による色彩装置８０の斜視図である。色彩装置８０は図２〜４を参照して説明及び示されている装置１２と同様である。さらに、図示されているように、前記装置８０は、ディスプレイボード１０を形成する装置８０のピクセルの一部として、色彩フィルター、すなわち、フィルター３２〜３８を所定位置に配置する時、ロッド３０の動きを調節すると共に監視するように設けられている。前記機構８０は、流体圧力が前記装置８０内で変化する間、前記ロッドの移動を停止すると共にそれらを所定位置に維持するためにいろいろな仕掛けを使用する。例えば、一つの実施の形態では、前記機構８２は、前記ロッドを所定位置に維持するため、ロッド３０に形成される溝８４に掛止する。各ロッド３０は対応する掛止機構８２を有しており、各ロッドは各ピクセルの所望な位置に従って独立して移動又は停止されるようになっていることを覚えておくべきである。したがって、更新運転中、すなわち、ピクセルが色を変更している時、前記機構８２は色彩フィルター３２〜３８のそれぞれを所定位置に移動させ、該フィルターが前記ボード１２により表示される画像に従って所望な色を供給するように適切に重ね合せられるようになっている。
【００２９】
前記機構８２はロッド３０のそれぞれの実際の位置を決定するための測定装置をさらに備え、それらのロッドが色彩装置１２内に配置される他の静的又は動的な表示器に対するのと同様に、前記ボードの他のロッドに対して適切な位置に実際に維持されるかどうかをさらに決定する。
【００３０】
図８は本技術の実施の形態に従って、色彩システムにより使用されるロッド機構１００の側面図である。したがって、ロッド機構１００は、ロッド３０と、ロッド３０に取り付けられるフィルター３２〜３８の一つのようなフィルターと、により形成されている。前記機構１００は、上記した図３により図示されているように、部材４０と４２より形成される溝の間に配置されるように設けられている。そのため、ロッド３０は、前記色彩フィルターがある角度で曲がる時、例えば、部材４０と４２の間でフィルター３２を動かすように設けられ、それにより、最終的にパネル１５（例えば、ディスプレイ装置１２の前面）を横切って水平に移動し、色彩装置１２のピクセル１４を形成する。その場合、前記ロッドの移動は、部材（４０と４２）により促進され、矢印１０２で示されるように一平面で起こる前記フィルターの動きを、矢印１０４で示されるようにロッド３０が移動する平面に対して異なる方向の平面で起こる前記フィルターの動きに変換する。示された実施の形態では、矢印１０２と１０４はお互いに垂直を成すように示されており、それにより、フィルター３２〜３８の動きが一直線動から別の直線動に垂直方向に変換されている。一般に、他の実施の形態では、前記フィルターは、色彩装置１２のパネル１５に沿ってフィルター３２１〜３８を最適に整列させるため、いろいろな平面の間で横方向に（ロッド３０と部材４０と４２の動作の下）変換する。
【００３１】
上述したように、例示的な実施の形態では、ロッド３０の動きは、通常、水力機構を使用することで促進され、流体、すなわち、光学流体は装置１２内に一定の水圧を加え、ロッド３０をそれらの所望な位置に移動させ、フィルター３２〜３８の適切な配置を達成する。したがって、図９は装置１２の水力による実施で使用されるように設けられるロッド移動システムの概略図である。
【００３２】
図示されているように、システム１１０は、上記した色彩フィルター３２〜３８の一つに取り付けられるように設けられる、３０のようなロッドにより形成されている。さらに、前記システム１１０はロッド３０に沿って配置されるバルブ１１２から成る。したがって、バルブ１２はロッドに沿う流体の流れ及び圧力の調整を容易にする。前記システム１１０はさらに、上記した機構８２と同様に、停止機構１１４を備え、ロッド３０を所定位置に停止すると共にその位置に保持し、それに取り付けられる色彩フィルターも所定位置に維持されるようになっている。前記停止機構はいろいろな装置を使用可能であり、ロッド３０に掛止してその位置に保持するように設けられる、機械的、電気的及び又は他の装置を使用可能である。一実施の形態では、機構１１４はロッド３０に掛止するためのソレノイド又は他の磁気装置により構成されていてもよい。他の実施の形態では、前記機構１１４は、図７に示されている溝８４に掛止するように設けられる、機械的な溝及び又は他の補足的な構造装置を含んでいてもよい。
【００３３】
さらに図示されているように、前記ロッド移動システムはロッドの位置を測定するように設けられる位置測定装置１１６を備え、前記ロッドに取り付けられる前記色彩フィルター、すなわち、フィルター３２〜３８が所定長に延長されることを保証し、それにより、ピクセル１４の適切な表示を提供する。前記測定装置１１６は各種の電気的、光学的及び又は機械的な装置を多く含み、レーザ、電位差計、光学フィルター、光学的及び電気的なセンサー、及び又は装置１２内におけるロッド３０の正確な位置測定を提供するように設けられる装置を含むがそれらに限定されるものではない。
【００３４】
図１０は本技術の一実施の形態に従って、前記色彩装置により使用される別の移動システム１３０の概略図である。前記システム１３０はロッド３０を含む電子磁気的なものであり、さらに磁気材料１３１（例えば、強磁性体）を含んでいる。前記システム１３０はさらに、特に磁石１３１の周りの、ロッドの近くに配置されるプレート１３２を備えている。各プレート１３２は、電流で駆動される時に磁界を発生するために設けられるソレノイドコイル１３４を含んでいる。したがって、そのような磁界は磁性材料１３１と相互に作用して設けられ、それにより、磁石１３１と磁石が取り付けられるロッド３０とに動きを与える。そのため、前記システム１３０はロッド３０を所望な位置に移動させる電磁気システムを供給し、それによりフィルター３２〜３８が装置１２の前面１５を横切って適切に配置される。同様に、他の例示的な実施の形態では、１つ以上のロッド３０は１つ以上のロッド３０に動きを与えるように設けられるリニア電気モータに結合され、各ロッド３０及び各フィルター３２〜３８及び又は背景４３を所望な位置に移動させ、所望な色素でピクセル１４を形成するようになっている。
【００３５】
図１１は本技術の一実施の形態による水力機械システム１５０の斜視図である。前記システム１５０は、チューブ１５４と１５６を介して水力電気ポンプ１５２に結合されるディスプレイ装置／モジュール１２により形成されている。したがって、ポンプ１５２は、液体、すなわち、光学流体、オイル等をモジュール１２から内部及び又は外部に圧送し、装置１２内におけるロッド３０の動作を可能にするように設けられている。そのため、ポンプ１５２は、周期的サイクル又は更新運転により必要とされるように光学流体を圧送し、ロッド３０を所望な位置に移動させ、各ピクセル１４を形成するフィルター３２〜３８を適切に固定する。
【００３６】
ポンプ１５２はさらに、装置１２のような複数の装置に結合し、複数のロッドを所望なように移動させるように十分な液体を供給する。そのため、ポンプ１５２はまたポンプ１５２の通常運転を制御するように設けられる制御ユニット（図示せず）にも結合し、ポンプ１５２が結合されえる装置に十分な液圧を維持すると共に出力することを保証する。
【００３７】
幾つかの例示的な実施の形態では、装置１５２はまた１以上のコンピュータを備え、チューブ１５４と１５６は該コンピュータを装置１２に結合するように設けられるケーブルを含んでいる。したがって、前記コンピュータは装置１２全体に亘ってピクセル１４の出現を制御するために使用可能である。その場合、前記コンピュータは、装置１２内におけるロッド３０の移動及び配置と同様に、該装置内の液圧を制御する。同様に、そのように制御する運転は、上述したように、光操作エレメント３２〜３８及び背景４３の積み重ね及び配置をさらに決定する。
【００３８】
さらに、ディスプレイ装置１２及びボードは、装置１２及びボード１０を横切る画像を形成するもののようなピクセル１４が適切に表示されることを保証するように設けられる各種フィードバック機構を含んでいる。そのような装置は、例えば、ボード１０又は装置１２の近くに配置される外部カメラを含み、該カメラは装置１２及びボード１０を横切って形成されるピクセルを外部から視覚的に検査する。したがって、前記カメラは、光操作エレメント３２〜３８又は背景４３の不適切又は不完全な配置及び又は移動から生じるもののような、一定の画像アーチファクトを探索して見つけるように設けられる。したがって、そのようなフィードバックはそのようなアーチファクトを修正するようにリアルタイムで使用され、ボード１０の各装置１２により表示される画像内の検出されたアーチファクトを調整すると共に修正するようになっている。
【００３９】
上述したように、ディスプレイ装置１２及びそのケース１６は、多角形及び又は湾曲した外形及び端部を含むもののような他の形状及びサイズで構成されてもよいことを認識すべきである。さらに、ディスプレイ装置１２は、例えば、ボード１０の視覚効果及び又は品質を改善するため、ピクセルの各種配列を含んでいてもよい。図１２を参照すると、上述した装置１２と機能が同様の装置１２ａの概略図である。各ディスプレイ装置１２ａは上述したピクセル１４と同様のピクセル１４ａの行列を含んでいる。しかし、図１２に図示されているように、ピクセル１４ａは、例えば、別の方法で、近くの列に対して僅かにずれている。そのような配列の利点は、エイリアシングのような視覚的な歪みを回避できることである。例えば、減少する周波数による繰り返しを含むピクセルパターンを作ることで、エイリアシングに気付く能力が非常に小さくなる。
【００４０】
複数のディスプレイ装置１２ａがディスプレイボード１０を横切って継ぎ目なく合致し、装置１２ａ間に存在する隙間を最小限にすることを認識すべきである。その場合、ディスプレイボード１０はディスプレイボード１０のエリアを取り囲む表面エリアの最大表示範囲及び利用を達成する。
【００４１】
さらに図示されているように、ピクセル１４ａの別のパターンによれば、ディスプレイ装置１２ａは代わりに凹凸を有する特別の形状のケース１６ａを有していてもよい。ケース１６ａの形状は間に空隙がなくケース１６ａをお互いに合致可能なようなものであってもよい。
【００４２】
さらに、装置１２ａの範囲能力はピクセル１４ａ間に空白領域又は空隙がなく実質的に完全であり、実質的に空白領域又は空隙がない最大又は実質的に十分なディスプレイボード１０の範囲を可能にする。
【００４３】
本発明の特徴はここに示され説明されているが、当業者であれば、修正、代用、変更、及び同等なものを見出せるであろう。そのため、添付した特許請求の範囲は本発明の真の精神内にあるすべてのそのような修正及び変更を含むカバーすることを意図するものと理解されるべきである。
【図１】
0006273255.tif 000002
【図２】
0006273255.tif 000003
【図３】
0006273255.tif 000004
【図４】
0006273255.tif 000005
【図５】
0006273255.tif 000006
【図６】
0006273255.tif 000007
【図７】
0006273255.tif 000008
【図８】
0006273255.tif 000009
【図９】
0006273255.tif 000010
【図１０】
0006273255.tif 000011
【図１１】
0006273255.tif 000012
【図１２】
0006273255.tif 000013